(57)【要約】      （修正有）【課題】股が汗や汚物で汚れた際、パンツやズボンを脱がないので別の再利用のできる布製の清潔なふんどしパンツと取り替えて不快感を取り除くことが出来、しかも普通のパンツと同様にふんどしパンツを上げ下げ出来るようにするふんどしパンツを提供する。【解決手段】パンツやズボンに汚れが直接着かないように別のを洗って再利用できる布で、汚れやすい部分を二重などにしたふんどしに、引っ張ったのでは外れないベルト止め（オス）２ａベルト止め（メス）３ａを伸縮のきくゴムベルト３の両端につけたベルトを組み合わせる。これにより、一般のパンツと同様にパンツを上げ下げして用を足すことができるようにし、ふんどしパンツ１が汚れて洗いたい時にはベルト止め（オス）ベルト止め（メス）をワンタッチで外してスボンやパンツを脱がなくても別の清潔なふんどしパンツと交換できる。【選択図】図６
0003163657.tif 000002
【実用新案登録請求の範囲】
【請求項１】
ひょうたん型のふんどしパンツ１では股関節部切り込み１ａを設けることを特徴としたひょうたん型のふんどしパンツ。
【請求項２】
請求項１記載のひょうたん型のふんどしパンツ１の股関節部分（汚れやすい部分）に当て部材股関節部切り込み４ｃを設けた股関節部当て部材４を縫合したことを特徴としたひょうたん型のふんどしパンツ。
【請求項３】
ひょうたん型のふんどしパンツ１の後ろ上端部ベルトに関する部分１ｃの中にゴムベルト２・３を通すのに袋状にするために縫った後ろの縫い目５ｂから後ろふんどしパンツの端５ａまでをタオルとし、ひょうたん型のふんどしパンツ前の端８ｂからひょうたん型のふんどしパンツの前部分の端８ａまでを晒しとしてＢの部分は二重になることを特徴としたひょうたん型のふんどしパンツ。
【請求項４】
ストレート型のふんどしパンツ１０は巾を均一として、股関節部分に当て部材１１を縫合したことを特徴としたふんどしパンツ。
【請求項５】
ストレート型のふんどしパンツ１０をストレート型のふんどしパンツの後ろ部分１２とストレート型のふんどしパンツの前の部分１３の布に分け、ストレート型のふんどしパンツの後ろの縫い目１２ｂからストレート型のふんどしパンツの後ろ部分の端１２ａまでをタオルとし、ストレート型のふんどしパンツの前部分の端１３ａからストレート型のふんどしパンツの前の端１３ｂまでを晒しとして、汚れやすい部分は二重にする部分でＤとすることを特徴とし、後ろ側の布と前側の布の巾が違う場合もあるふんどしパンツ。
【請求項６】
ベルトに関する部分１ｃ・５ｃ・１０ｃ・１２ｃはタオル又は平織りとし、三つ折にして後ろの縫い目１ｂ・５ｂ・１０ｂ・１２ｂの所を縫いベルトに関する部分１ｃ・５ｃ・１０ｃ・１２ｃの中を袋状にしたその中にゴムベルト２・３を通し、端には引っ張っても外れないベルト止め（オス）２ａ・ベルト止め（メス）３ａを有したことを特徴としたふんどしパンツ。
【請求項７】
ふんどしパンツの後ろ上端部ベルトに関する部分１ｃ・５ｃ・１０ｃ・１２ｃを袋状にしたその外側にゴムベルト２・３をたたきつけるふんどしパンツ。
【請求項８】
ふんどしパンツの後ろ上ベルトに関する部分１ｃ・５ｃ・１０ｃ・１２ｃの両端ゴムベルト２を縫い付ける位置２ｂ・ゴムベルト３を縫い付ける位置３ｂにゴムベルト２・３をそれぞれ縫いつける形式にも出来るふんどしパンツ。
【請求項９】
ふんどしパンツの後ろ上端部ベルトに関する部分１ｃ・５ｃ・１０ｃ・１２ｃやその両横端のゴムベルト２を縫い付ける位置２ｂ・ゴムベルト３を縫い付ける位置３ｂにそれぞれ紐を縫い付ける場合もあるふんどしパンツ。
【請求項１０】
ふんどしパンツの布が二重になる部分図２、図３、図４、図５のＡ・Ｂ・Ｃ・Ｄの二枚の布の横端をくっつけない場合、Ｃ、Ｄはタオルと晒しであり截ち目ではないのでしまつをする必要は無いがＡ、Ｂは截ち目なのでふちどりテープなどで２枚を別々にしまつをするふんどしパンツ。
【請求項１１】
ふんどしパンツの布が二重になる部分図２、図３、図４、図５のＡ・Ｂ・Ｃ・Ｄの二枚の布をくっつけてふちどりテープなどでしまつをするふんどしパンツ。
【請求項１２】
ひょうたん型のふんどしパンツ１、５・８に於て、ヒップラインが体のヒップラインにしっくりと合うようにいせ込み９を入れる場合もあるふんどしパンツ。
【請求項１３】
ふんどしパンツ１、５・８、１０、１２・１３の材質は、紙、タオル、木綿、ジャージその他等特定しないことを特徴とするふんどしパンツ。
【考案の詳細な説明】
【技術分野】
【０００１】  本考案はズボンを脱がなくてもパンツを簡単に交換出来るようにするふんどしパンツに関するものである。
【背景技術】
【０００２】  従来のふんどしや特開２００８−５５００１の紙おむつはズボンやパンツを脱がなくても取り替えられるが、ふんどしは晒しで出来ていて局部を隠す役目が主となっており、汗や汚れを吸収出来るものではなく汚れがもれやすい。特開２００８−５５００１や市販のものの中には汗や汚れを吸収出来るものや股関節を体にフィットさせるべくカットしたものは有るが、どれもおむつ形式であり、プライドを気にしたり、ちょいもれやちょび汚れで取り替えたい人には向かない。そして、これらおむつ形式のものは紙製品であるので汚れたものを洗濯して何度でも使用出来るようにはなっていない。また、最近市販されるようになった尿もれパンツはパンツ式なので尿は吸収するが簡単に取り替えは出来ず、尿そのものはいつも体にくっつけていて、時間が経過すれば臭がきつくなってくる。
【先行技術文献】
【特許文献】
【０００３】
【特許文献１】特開２００８−５５００１
【考案の概要】
【考案が解決しようとする課題】
【０００４】  本考案は股の汗や汚れで不快感を伴う際、パンツには股がついているので容易に着替えることが出来ないのでズボンやパンツを脱がなくても簡単に取り替えの出来るものを提供したい。従来のふんどしや特開２００８−５５００１のような紙おむつは、ズボンを脱がなくても取り替えられるが、従来のふんどしの場合は布の役目が局部を隠すのみの薄手なものなので汚れたものがすぐもれてしまうし、特開２００８−５５００１のような紙おむつは布ではなく紙で出来ているので洗って再利用ということにはならない。市販されているものの中にもズボンを脱がずに取り替えの出来るものはあるが、おむつ形式であり使い捨てとなっていて、少々の汚れで使い捨てるのは勿体無いし、大げさすぎるので、プライドを気にしたり、少しの汚れでも取り替えたくなるような人には向かない。そこで、ちょいもれやちょび汚れを気にする人が大げさにならず、ズボンをはいていても、ズボンを脱がないで着替えが簡単に出来、ちょいもれやちょび汚れもキャッチしてパンツやズボンや体を汚す確率の少ない股関節の部分が体にフィットするようにカットし、汚れやすい部分は二重に出来るひょうたん型のふんどしパンツや汚れやすい部分を二重にしたストレート型のふんどしパンツを当てるなどして不快感を伴う際はパンツを脱ぐことなく別の清潔なふんどしパンツと取り替えて不快感を取り除くことが出来るようにすることを課題としている。
【課題を解決するための手段】
【０００５】  本考案のひょうたん型のふんどしパンツ１では股関節部切り込み１ａを設けることを特徴としたひょうたん型のふんどしパンツ。
上記記載のひょうたん型のふんどしパンツ１の股関節部分（汚れやすい部分）に当て部材股関節部切り込み４ｃを設けた股関節部当て部材４を縫合したことを特徴としたひょうたん型のふんどしパンツ。
ひょうたん型のふんどしパンツ１の後ろ上端部ベルトに関する部分１ｃのゴムベルト２・３を通すのに袋状にするために縫った後ろの縫い目５ｂから後ろふんどしパンツの端５ａまでをタオルとし、ひょうたん型のふんどしパンツ前の端８ｂからひょうたん型のふんどしパンツの前部分の端８ａまでを晒しとしてＢの部分は二重になることを特徴としたひょうたん型のふんどしパンツ。
ストレート型のふんどしパンツ１０は巾を均一として、股関節部分に当て部材１１を縫合したことを特徴としたふんどしパンツ。
ストレート型のふんどしパンツ１０をストレート型のふんどしパンツの後ろ部分１２とストレート型のふんどしパンツの前の部分１３の布に分けストレート型のふんどしパンツの後ろの縫い目１２ｂからストレート型のふんどしパンツの後ろ部分の端１２ａまでをタオルとしストレート型のふんどしパンツの前部分の端１３ａからストレート型のふんどしパンツの前の端１３ｂまでを晒しとして汚れやすい部分は二重にする部分でＤとすることを特徴とし、後ろ側の布と前側の布の巾が違う場合もあるふんどしパンツ。
ベルトに関する部分１ｃ・５ｃ・１０ｃ・１２ｃはタオル又は平織りとし、三つ折にして後ろの縫い目１ｂ・５ｂ・１０ｂ・１２ｂの所を縫いベルトに関する部分１ｃ・５ｃ・１０ｃ・１２ｃの中を袋状にしたその中にゴムベルト２・３を通し、端には引っ張っても外れないベルト止め（オス）２ａ・ベルト止め（メス）３ａを有したことを特徴としたふんどしパンツ。
ふんどしパンツの後ろ上端部ベルトに関する部分１ｃ・５ｃ・１０ｃ・１２ｃを袋状にしたその外側にゴムベルト２・３をたたきつけるふんどしパンツ。
ふんどしパンツの後ろ上ベルトに関する部分１ｃ・５ｃ・１０ｃ・１２ｃの両端ゴムベルト２を縫い付ける位置２ｂ・ゴムベルト３を縫い付ける位置３ｂにゴムベルト２・３をそれぞれ縫いつける形式にも出来るふんどしパンツ。
ふんどしパンツの後ろ上端部ベルトに関する部分１ｃ・５ｃ・１０ｃ・１２ｃやその両横端のゴムベルト２を縫い付ける位置２ｂ・ゴムベルト３を縫い付ける位置３ｂにそれぞれ紐を縫い付ける場合もあるふんどしパンツ。
ふんどしパンツの布が二重になる部分図２、図３、図４、図５のＡ・Ｂ・Ｃ・Ｄの二枚の布の横端をくっつけない場合、Ｃ、Ｄはタオルと晒しであり截ち目ではないのでしまつをする必要は無いがＡ、Ｂは截ち目なのでふちどりテープなどで２枚を別々にしまつをするふんどしパンツ。
ふんどしパンツの布が二重になる部分図２、図３、図４、図５のＡ・Ｂ・Ｃ・Ｄの布の重なった二枚の布をくっつけてふちどりテープなどでしまつをするふんどしパンツ。
ひょうたん型のふんどしパンツ１、５・８に於て、ヒップラインが体のヒップラインにしっくりと合うようにいせ込み９を入れる場合もあるふんどしパンツ。
ふんどしパンツ１、５・８、１０、１２・１３の材質は、紙、タオル、木綿、ジャージその他等特定しないことを特徴とするふんどしパンツとする。
【考案の効果】
【０００６】  本考案はおむつをはいたり、パットをはせたりするには及ばない段階の人などが、ちょいもれや、ちょび汚れをした際、パンツやズボンを脱がないで汚れをキャッチしているふんどしパンツ１、５・８、１０、１２・１３のベルト止め（オス）２ａ、ベルト止め（メス）３ａを外して汚れたふんどしパンツ１、５・８、１０、１２・１３を取りのけ、別の清潔なふんどしパンツ１、５・８、１０、１２・１３と取り替えることによりいつでもさわやかでいられる。このふんどしパンツ１、５・８、１０、１２・１３はベルトに関する部分１ｃ・５ｃ・１０ｃ・１２ｃを袋状にしたその中にゴムベルト２・３を通したり、ベルトに関する部分１ｃ・５ｃ・１０ｃ・１２ｃの外側にゴムベルト２・３をたたきつけたり、ゴムベルト２・３をゴムベルト２を縫い付ける位置２ｂ・ゴムベルト３を縫い付ける位置３ｂにそれぞれ縫いつけたりしておる。ベルト止め（オス）２ａ・ベルト止め（メス）３ａは引っ張ったのでは外れないベルト止めにしているので一般のパンツと同様にふんどしパンツ１、５・８、１０、１２・１３の上げ下げが出来、用を足すには困らない。なお、外出や旅行など大もれが心配な場合には、ふんどしパンツ１、５・８、１０、１２・１３に市販の尿もれパッドをはせれば大もれにも対応できる。ふんどし形式にしたこのふんどしパンツ１、５・８、１０、１２・１３は脇が空いているので暑い夏には涼しいという利点も有る。その上、ふんどしパンツ１、５・８、１０、１２・１３を紙で作った場合、汚れれば捨てればいいし、布で作った場合は汚れたものを洗濯して何度でも使用出来るので経済的である。なお、ストレート型のふんどしパンツ１０・ストレート型のふんどしパンツの後ろ部分１２・ストレート型のふんどしパンツの前の部分１３の場合は体格に合わせた股関節部のカットが無いので体格の大小には殆ど関係なく適用出来る。
【図面の簡単な説明】
【０００７】
【図１】本考案のふんどしパンツを示す図
【図２】本考案のふんどしパンツの第２実施例を示す図
【図３】本考案のふんどしパンツの第３実施例を示す図
【図４】本考案のふんどしパンツの第４実施例を示す図
【図５】本考案のふんどしパンツの第５実施例を示す図
【図６】本考案を人体に装着する過程を示す図
【図７】本考案を人体に装着し終えた図
【考案を実施するための形態】
【０００８】  以下、この考案の実施形態を添付図面に基づいて説明する。図１の１、図２の１、図３の５・８はひょうたん型のふんどしパンツで、股関節部切り込み１ａは股関節部分を体にフィットするようにカットた股関節部切り込みをなし、図２は汚れやすい部分となる当て部材後部ライン４ａから当て部材前部ライン４ｂをひょうたん型ふんどしパンツ１の股関節部切り込み１ａにそって当て部材股関節部切り込み４ｃのように切り取った当て部材を４とし、これをひょうたん型のふんどしパンツに縫合している。図３はひょうたん型のふんどしパンツに於て股関節部分（汚れやすい部分）の当て部材を図２の４のように別布を当てるのではなく、後ろの縫い目５ｂから後ろふんどしパンツの端５ａの布とひょうたん型のふんどしパンツの前部分の端８ａからひょうたん型のふんどしパンツ前の端８ｂの布が重なった部分Ｂが股関節の汚れやすい部分となるようにする。後ろの縫い目５ｂから後ろふんどしパンツの端５ａの後ろ部分は主としてタオルとし、ひょうたん型のふんどしパンツの前部分の端８ａからひょうたん型のふんしパンツ前の端８ｂは主として晒しとし、二重になった部分Ｂは汚れやすい部分なのでタオルと晒しが重なる部分となる。なお、ひょうたん型のふんどしパンツのヒップラインが体のヒップラインにぴったりなじむようにひょうたん型のふんどしパンツのいせ込み９をいせ込むが別にいせ込まなくても良い。股関節部切り込み１ａ・４ｃのカット部は截ち目なのでほつれやすいからふちどりテープなどでしまつする。その場合、図２のＡ・図３のＢのタオルと晒しは重ねて二枚一緒にふちどりテープでしまつしてもよいし、タオルと晒しを別々にふちどりテープでしまつしてタオルと晒しを離すことも出来る。図４は、巾が均一な晒し又はタオルで作ったストレート型のふんどしパンツ１０であり、当て部材後部ライン１１ａから当て部材前部ライン１１ｂは汚れやすい部分なので晒し又はタオルの当て部材１１を当てて二重にすることが出来る。図５のストレート型のふんどしパンツ１２・１３において股関節部分（汚れやすい部分）は図４の当て部材１１のように別布を当てるのではなく、ストレート型のふんどしパンツの後ろの縫い目１２ｂからストレート型のふんどしパンツの後ろ部分の端１２ａまでを主にタオルとし、ストレート型のふんどしパンツの前部分の端１３ａからストレート型のふんどしパンツの前の端１３ｂまでを主として晒しにしてタオルと晒しが重なった二重にする部分Ｄが股関節の汚れやすい部分となるようにする。ストレート型のふんどしパンツの後ろ部分１２とストレート型のふんどしパンツの前の部分１３の布の巾が違っていても良い。二重にする部分Ｄの位置の晒しが汚れれば晒しのみをつまんで洗うことが出来るので二重にする部分Ｄの位置のタオルと晒しの両横はくっつけてもよいが、できればくっつけないでおく。なお、図２、図３、図４の二重になった部分Ａ・Ｂ・Ｃも同様、二枚の布をくっつけてもよいが、できればふちどりテープなどでしまつをしてくっつけないでおけば汚れた一枚のみをつまんで洗うことが出来るし、市販の尿もれパッドを二枚の布の間にはせれば尿もれパッドが落ちる心配もなく大もれにも対応出来る。図１、２、３、４���５のふんどしパンツ後ろ上端のベルトに関する部分１ｃ・５ｃ・１０ｃ・１２ｃは三つ折にして、後ろの縫い目１ｂ・５ｂ・１０ｂ・１２ｂの所を縫ってベルトに関する部分１ｃ・５ｃ・１０ｃ・１２ｃを袋状にし、その中にゴムベルト２・３を通しゴムベルト２・３の端にはベルト止め（オス）２ａ・ベルト止め（メス）３ａをつけ、ふんどしパンツの着脱の際はベルト止め（オス）２ａ・ベルト止め（メス）３ａを用いる。又、ゴムベルト２・３は引き抜くことが出来るようにして汚れたふんどしパンツを洗う際はゴムベルト２・３を引き抜いてゴムベルト２・３は洗わないでふんどしパンツのみを洗う事も出来るようにする。又、ゴムベルト２・３をベルトに関する部分１ｃ・５ｃ・１０ｃ・１２ｃの中に通さずベルトに関する部分１ｃ・５ｃ・１０ｃ・１２ｃを三つ折にした外側からたたきつけることも出来る。従って１ｃ・５ｃ・１０ｃ・１２ｃの部分の布はゴムベルト２・３を通したり、ゴムベルト２・３をたたきつけたりしても無理にならないようにタオルでなく出来れば平織りとする。又、ゴムベルト２・３はふんどしパンツの後ろベルトに関する部分１ｃ・５ｃ・１０ｃ・１２ｃの両端のゴムベルト２を縫い付ける位置２ｂ・ゴムベルト３を縫い付ける位置３ｂの場所にそれぞれ縫いつけることも出来る。ベルトはゴムベルト２・３ベルト止め（オス）２ａ・ベルト止め（メス）３ａを使用するが、ゴムベルト２・３ベルト止め（オス）２ａ・ベルト止め（メス）３ａを使用せずに結び紐を設けて結んでもよい。図６はふんどしパンツ１、５・８、１０、１２・１３を体の後ろから当て、股の下からふんどしパンツ１、５・８、１０、１２・１３のふんどしパンツの前に当たる部分ｄ、ふんどしパンツの前の端ｅを体の前に回して、ゴムベルト２・３の端につけたベルト止め（オス）２ａ、ベルト止め（メス）３ａで止めたその下からふんどしパンツの前に当たる部分ｄ、ふんどしパンツの前の端ｅをひき上げた図であり、図７は、そのひき上げたふんどしパンツの前に当たる部分ｄ、ふんどしパンツの前の端ｅのゴムベルト２・３より上のふんどしパンツの前の端ｅを下に下げた図である。
【符号の説明】
【０００９】１．ひょうたん型のふんどしパンツ
１ａ．股関節部切り込み
１ｂ．後ろの縫い目
１ｃ．ベルトに関する部分
２．ゴムベルト
２ａ．ベルト止め（オス）
２ｂ．ゴムベルト２を縫い付ける位置
３．ゴムベルト
３ａ．ベルト止め（メス）
３ｂ．ゴムベルト３を縫い付ける位置
４．当て部材
４ａ．当て部材後部ライン
４ｂ．当て部材前部ライン
４ｃ．当て部材股関節部切り込み
５．ひょうたん型の後ろふんどしパンツ
５ａ．後ろふんどしパンツの端
５ｂ．後ろの縫い目
５ｃ．ベルトに関する部分
８．ひょうたん型の前ふんどしパンツ
８ａ．ひょうたん型のふんどしパンツの前部分の端
８ｂ．ひょうたん型のふんどしパンツ前の端
９．ひょうたん型のふんどしパンツのいせ込み
１０．ストレート型のふんどしパンツ
１０ｂ．ストレート型のふんどしパンツの後ろの縫い目
１０ｃ．ベルトに関する部分
１１．当て部材
１１ａ．当て部材後部ライン
１１ｂ．当て部材前部ライン
１２．ストレート型のふんどしパンツの後ろ部分
１２ａ．ストレート型のふんどしパンツの後ろ部分の端
１２ｂ．ストレート型のふんどしパンツの後ろの縫い目
１２ｃ．ベルトに関する部分
１３．ストレート型のふんどしパンツの前の部分
１３ａ．ストレート型のふんどしパンツの前部分の端
１３ｂ．ストレート型のふんどしパンツの前の端
Ａ．二重になった部分
Ｂ．二重になった部分
Ｃ．二重になった部分
Ｄ．二重にする部分
ｄ．ふんどしパンツの前に当たる部分
ｅ．ふんどしパンツの前の端
【図１】
0003163657.tif 000003
【図２】
0003163657.tif 000004
【図３】
0003163657.tif 000005
【図４】
0003163657.tif 000006
【図５】
0003163657.tif 000007
【図６】
0003163657.tif 000008
【図７】
0003163657.tif 000009
【手続補正書】
【提出日】平成22年8月3日(2010.8.3)
【手続補正１】
【補正対象書類名】実用新案登録請求の範囲
【補正対象項目名】全文
【補正方法】変更
【補正の内容】
【実用新案登録請求の範囲】
【請求項１】
ふんどしパンツのゴムベルト前方には、引っ張っても外れないベルト止め（オス）ベルト止め（メス）の止め具をつけた事を特徴としたふんどしパンツ。
【請求項２】
ふんどしパンツのゴムベルトは伸縮性を有するゴムであることを特徴とする請求項１記載のふんどしパンツ。
【請求項３】
ふんどしパンツの形状は股関節部分を体型に合うようにくり抜いた事を特徴とする請求項１、２記載のふんどしパンツ。
【請求項４】
ふんどしパンツの形状は昔ながらのストレート型にしたことを特徴とする請求項１、２記載のふんどしパンツ。
【請求項５】
ふんどしパンツの股関節部分（汚れやすい部分）は二重にすることを特徴とする請求項１、２記載のふんどしパンツ。
【手続補正２】
【補正対象書類名】明細書
【補正対象項目名】０００１
【補正方法】変更
【補正の内容】
【０００１】  本考案はパンツの汚れやすい部分を二重などにした洗って再利用のできる布製のふんどしパンツで、普通のパンツ同様に上げ下げができ、又、汚れて不快感を伴う際はズボンを脱がなくてもパンツを簡単に交換できるようにするふんどしパンツに関するものである。
【手続補正３】
【補正対象書類名】明細書
【補正対象項目名】０００４
【補正方法】変更
【補正の内容】
【０００４】  本考案は股の汗や汚れで不快感を伴う際、パンツには股がついているので容易に着替えることが出来ないので不快感を伴う際は、パンツやズボンを脱ぐことなく別の清潔なふんどしパンツと取り替えて不快感を取り除くことが出来、洗って再利用もでき、平素の用足しも普通のパンツ同様に上げ下げができるようにすることを課題としている。
【手続補正４】
【補正対象書類名】明細書
【補正対象項目名】０００５
【補正方法】変更
【補正の内容】
【０００５】    本考案の股の汗や汚れに対応するふんどしパンツは洗って何度でも使用できる布製とし、特に股関節部分（汚れやすい部分）の汚れがもれないように二重などにするが、それでも汚れて不快感を伴う際には、ズボンやパンツを脱がなくてもふんどしパンツを交換できるようにするためにふんどしパンツのベルトは前方で止め外しがワンタッチで出来、しかも引っ張っても外れないベルト止め（オス）ベルト止め（メス）の止め具をつけて、用を足すにもパンツと同様に上げ下げのできる伸縮性を有するゴムのベルトとしたことを特徴とするふんどしパンツとする。
【手続補正５】
【補正対象書類名】明細書
【補正対象項目名】０００６
【補正方法】変更
【補正の内容】
【０００６】    本考案は、おむつをはいたりするには及ばない段階の人などが、股を汗や汚物で汚した際、ズボンやパンツを脱がないで、ふんどしパンツの前方のベルト止め（オス）ベルト止め（メス）の止め具をワンタッチで外して汚れをキャッチしている布製の洗って再利用できるふんどしパンツを取りのけ、別の清潔なふんどしパンツと取り替えることが出来るので、いつでもさわやかでいられるし、ベルトは伸縮性のゴムに引っ張っても外れない止め具（オス）止め具（メス）を着けいているので用を足すのも普通のパンツ同様に用を足すことができる。